(57)【要約】【課題】取付対象物を壁面に離間した状態で取付ける際に、壁面に傷を付けずに係止状態にすることができる取付ユニットが要望されている。【解決手段】壁面Ｗに取付けられる第一取付部、及び、第一係止部を有する第一片Ｕ１と、取付対象物１に取付けられる第二取付部、及び、第一係止部と係止可能な第二係止部を有する第二片Ｕ２と、重力の作用により、第一片Ｕ１と第二片Ｕ２とを近付け案内することで、第一係止部と第二係止部とを係止させる案内部と、第一係止部と第二係止部とが係止したときに、第一取付部と第二取付部とが離間した状態となるように第一片Ｕ１と第二片Ｕ２とを位置保持する離間部と、が備えられている。【選択図】図２
2019208742.tif 000002
【特許請求の範囲】
【請求項１】
取付対象物を、壁面に取付け可能にする取付ユニットであって、
前記壁面に取付けられる第一取付部、及び、第一係止部を有する第一片と、
前記取付対象物に取付けられる第二取付部、及び、前記第一係止部と係止可能な第二係止部を有する第二片と、
重力の作用により、前記第一片と前記第二片とを近付け案内することで、前記第一係止部と前記第二係止部とを係止させる案内部と、
前記第一係止部と前記第二係止部とが係止したときに、前記第一取付部と前記第二取付部とが離間した状態となるように前記第一片と前記第二片とを位置保持する離間部と、が備えられている取付ユニット。
【請求項２】
前記離間部は、前記第一片に設けられ、かつ、前記第一係止部と前記第二係止部とが係止したときに前記取付対象物及び前記第二片の少なくとも何れか一方と面接触して前記第一片と前記第二片とを位置保持する請求項１に記載の取付ユニット。
【請求項３】
前記第一取付部は、面接触状態で前記壁面に取付けられる請求項１または２に記載の取付ユニット。
【請求項４】
前記案内部に、前記第一片及び前記第二片の一方に形成された傾斜面部と、前記第一片と前記第二片の他方に形成され、前記傾斜面部に沿って摺動可能な摺動部と、が備えられている請求項１から３のいずれか一項に記載の取付ユニット。
【請求項５】
前記傾斜面部は、前記第一片に形成され、
前記第一片に、前記傾斜面部の下端部よりも下側に位置し、壁固定用の釘が挿通される貫通孔と、上下方向において前記下端部と前記貫通孔との間に位置し、水平方向に延びる隔壁部と、が備えられている請求項４に記載の取付ユニット。
【請求項６】
前記隔壁部に、前記下端部が入り込む切欠部が形成されている請求項５に記載の取付ユニット。
【請求項７】
前記第一片に、壁面側に向けて凹入された凹入部と、前記凹入部における凹入側の底部に設けられ、壁固定用の釘が挿通される貫通孔と、が備えられ、
前記凹入部に嵌合可能な位置出し部材が備えられ、
前記位置出し部材に、前記位置出し部材が前記凹入部に嵌合された状態において、前記第一取付部に直交する方向視で前記貫通孔に対応する位置に形成され、前記貫通孔を貫通可能な突起部が備えられている請求項１から６のいずれか一項に記載の取付ユニット。
【発明の詳細な説明】
【技術分野】
【０００１】
本発明は、取付対象物を壁部から離間した状態に取り付ける取付ユニットに関する。
【背景技術】
【０００２】
本発明は、壁部から離間した状態で取付対象物を保持することができる。取付対象物として、例えば、板材を壁部から離間した状態で保持させることにより、壁部と取付対象物との間に本や雑誌を挟み込むインテリア等として使用することができる。
従来、この種の取付ユニットとしては、壁面にネジ等で取付けられる壁用取付具（本発明の第一片に相当）と、取付対象物にネジ等で取付けられた状態で壁用取付具に係止可能な係止対象物用取付具（本発明の第二片に相当）と、を備えるものがあった（例えば、特許文献１参照）。
【０００３】
特許文献１に記載の取付ユニットは、壁用取付具は、一定幅の板状部材を逆Ｖ字型に屈曲させた庇形安定片を有し、庇形安定片の頂部の壁部側端部に切欠部が形成されている。また、係止対象物用取付具は、壁用取付具と合致する形状で庇形覆い片を有し、さらに下方に垂下し且つ壁用取付具の切欠に対応する差込片が形成されている。係止対象物用取付具の差込片を壁用取付具の切欠部に挿着させ、係止対象物用取付具が壁用取付具に覆い被さることで、取付対象物を壁面から離間した状態で取り付けることができる。
【先行技術文献】
【特許文献】
【０００４】
【特許文献１】実開昭５９−０１５３７４号公報
【発明の概要】
【発明が解決しようとする課題】
【０００５】
上述した従来の取付ユニットは、取付対象物を壁部から離間した状態で壁部に係止するものであるが、取付作業時においても、取付対象物に取り付けられた係止対象物用取付具を壁部に押し当て、係止後の離間距離と同等の離間距離を維持したまま下方向に移動させる。
【０００６】
したがって、取付対象物に取り付けられた第二片は、第二片が壁部に触れた状態で、下方向に移動することになり、このとき第二片が壁面に傷を付けてしまう虞がある。これを防止するには、係止対象物用取付具が壁部から僅かに離れた状態を保ちつつ、取付作業を行うという困難な作業を要する。
【０００７】
そこで、本発明の目的は、上記問題を解消し、取付対象物を壁面に取付ける際に、壁面に傷を付けずに係止状態にすることができる取付ユニットを提供するところにある。
【課題を解決するための手段】
【０００８】
本発明に係る取付ユニットの特徴構成は、取付対象物を、壁面に取付け可能にする取付ユニットであって、前記壁面に取付けられる第一取付部、及び、第一係止部を有する第一片と、前記取付対象物に取付けられる第二取付部、及び、前記第一係止部と係止可能な第二係止部を有する第二片と、重力の作用により、前記第一片と前記第二片とを近付け案内することで、前記第一係止部と前記第二係止部とを係止させる案内部と、前記第一係止部と前記第二係止部とが係止したときに、前記第一取付部と前記第二取付部とが離間した状態となるように前記第一片と前記第二片とを位置保持する離間部と、が備えられている点にある。
【０００９】
本発明によれば、取付対象物に取り付けられた第二片を、壁面に取り付けられた第一片に係止するとき、案内部により第一片と第二片とを近付けるように案内し、第一係止部と第二係止部とを係止させる。したがって、人の手作業としては、壁面から離れた案内部へ第二片を移動させればよく、第二片を壁面へ接触させることを容易に防止することができる。また、取付作業開始時から係止後の離間距離と同等の離間距離を保持する必要がないことから、第二片を壁面に押し付ける作業は不要となる。これにより、第二片を第一片に係止するときに壁面に傷を付けることを防ぐことができる。
【００１０】
本発明においては、前記離間部は、前記第一片に設けられ、かつ、前記第一係止部と前記第二係止部とが係止したときに前記取付対象物及び前記第二片の少なくとも何れか一方と面接触して前記第一片と前記第二片とを位置保持すると好適である。
【００１１】
本発明によれば、離間部が取付対象物及び第二片と面接触した状態で保持されるため、取付対象物及び第二片に対する面圧が分散され、局所的に力が作用することがない。したがって、離間部と接触している第二片や取付対象物のキズ等を軽減することができる。
【００１２】
本発明においては、前記第一取付部は、面接触状態で前記壁面に取付けられると好適である。
【００１３】
本発明によれば、第一取付部が壁面に面接触した状態で保持されるため、第一片に対して壁方向に力が作用したときに、壁面に作用する面圧が分散される。したがって、壁面に対して局所的に力が作用することがないことから、壁面の傷等の発生を軽減することができる。
【００１４】
本発明においては、前記案内部に、前記第一片及び前記第二片の一方に形成された傾斜面部と、前記第一片と前記第二片の他方に形成され、前記傾斜面部に沿って摺動可能な摺動部と、が備えられていると好適である。
【００１５】
本発明によれば、第一片と第二片とが係止した状態において、傾斜面部と、取付対象物又は第二片とが、摺動部及び面接触部にくさび状にかみ合うため、より強固に第一片と第二片とを係止することができる。
【００１６】
本発明においては、前記傾斜面部は、前記第一片に形成され、前記第一片に、前記傾斜面部の下端部よりも下側に位置し、壁固定用の釘が挿通される貫通孔と、上下方向において前記下端部と前記貫通孔との間に位置し、水平方向に延びる隔壁部と、が備えられていると好適である。
【００１７】
本発明によれば、傾斜面部に下向きに力が作用すると、傾斜面部に作用した力と貫通孔に挿通される壁固定用の釘による抵抗力により、傾斜面部の下端部と貫通孔との間には、局所的に力が作用する。そこで、傾斜面部の下端部と貫通孔との間に、水平方向に延びる隔壁部を備えることにより、傾斜面部に作用した力を、隔壁部にも分散させることができる。その結果、局所的に力が作用することによる破損や変形等を防ぐことができる。
【００１８】
本発明においては、前記隔壁部に、前記下端部が入り込む切欠部が形成されていると好適である。
【００１９】
第一片と第二片との係止開始位置が壁面から離れている方が、第二片や取付対象物によって壁面を傷付ける可能性を軽減できるが、そのために、傾斜面部をより長く形成することが考えられる。しかし、このように構成すると、傾斜面の下側の貫通孔に釘を打ち込む作業を行うスペースが狭くなったり、取付ユニット全体の上下長が大きくなったりしてしまう。本発明によれば、隔壁部に、傾斜面部の下端部が入り込む切欠部を形成することにより、傾斜面の長さを確保しつつ、傾斜面の下側の貫通孔に釘を打ち込む作業を行うのに十分な作業スペースを確保し、取付ユニットの巨大化を防ぐことができる。
【００２０】
本発明においては、前記第一片に、壁面側に向けて凹入された凹入部と、前記凹入部における凹入側の底部に設けられ、壁固定用の釘が挿通される貫通孔と、が備えられ、前記凹入部に嵌合可能な位置出し部材が備えられ、前記位置出し部材に、前記位置出し部材が前記凹入部に嵌合された状態において、前記第一取付部に直交する方向視で前記貫通孔に対応する位置に形成され、前記貫通孔を貫通可能な突起部が備えられていると好適である。
【００２１】
本発明によれば、位置出し部材が凹入部に嵌合された状態の第一片を、取付対象物に取り付けた第二片に係止させると、貫通口から突起部の先端が突出している状態となる。第一片と第二片とが係止した状態を維持したまま、壁面における第一片取り付け予定位置に、取付対象物を押し付けることにより、突起部が壁面に押圧され、壁面に窪みが形成される。当該窪みを第一片の取り付け位置の基準とすることにより、容易に第一片の取り付け位置を確定することができる。
【図面の簡単な説明】
【００２２】
【図１】第一片取付け状況を示す取付対象物の背面図である。
【図２】取付対象物を壁面に取り付ける際の要領を示す斜視図である。
【図３】第一片を正面側から視た斜視図である。
【図４】第一片の正面図である。
【図５】図４におけるＶ−Ｖ矢視の第一片の縦断断面図である。
【図６】第二片を正面側から視た斜視図である。
【図７】第二片の正面図である。
【図８】図７におけるＶＩＩＩ−ＶＩＩＩ矢視の第二片の縦断断面図である。
【図９】第二片を第一片に係止させる際の状態を示す取付ユニットの縦断断面図である。
【図１０】第一片に第二片を係止させる際の状態を、第一片の裏側から視た背面図である。
【図１１】第一片と第二片とが係止した状態を示す取付ユニットの縦断断面図である。
【図１２】位置出し部材を第一片に取り付ける際の状態を示す斜視図である。
【図１３】位置出し部材による壁面への位置出し状況を示す取付ユニットの縦断断面図である。
【図１４】壁面へ取り付けた取付対象物の使用状況を斜視図である。
【発明を実施するための形態】
【００２３】
以下に、本発明の実施形態を図面に基づいて説明する。本実施形態については、取付ユニットＵを壁面Ｗに取り付けたとき状態での上下方向を「上下方向」とし、同状態での壁面Ｗに近い側を「壁面側」、「背面」とし、同状態での取付対象物１に近い側を「取付対象物側」、「正面」とし、同状態での正面視や背面視での左右方向を「左右方向」として、説明を進める。
【００２４】
〔全体構成について〕
本実施形態では、図１及び図２に示すように、本発明の取付ユニットＵを用いて、壁面Ｗに、取付対象物１の一例である木製の板材（例えば、市販の１×４材）を取り付ける。図１４に示すように、壁面Ｗに取付対象物１を取り付けた状態において、壁面Ｗと取付対象物１との隙間を利用して、各種のディスプレイや収納方法が可能となる。
【００２５】
壁面Ｗは、本実施形態では、石膏ボードの表面に壁紙を貼付して構成されている。壁面Ｗは、石膏ボード用釘等を使用して、取付ユニットＵを固定することができる。
【００２６】
取付ユニットＵは、合成樹脂製であり、図２に示すように、壁面Ｗに取り付けられる第一片Ｕ１と、取付対象物１に取り付けられた状態で第一片Ｕ１に係止可能な第二片Ｕ２と、を備えている。また、取付ユニットＵは、第一片Ｕ１と第二片Ｕ２とを、互いに近づくように案内する案内部３と、第一片Ｕ１と第二片Ｕ２とを離間した位置で保持する離間部４を備えている。
【００２７】
本実施形態では、一つの取付対象物１に対して、左右一対の取付ユニットＵを左右横並びの状態（取付対象物１の長辺Ｙに沿って並列された状態）で使用し、取付対象物１を壁面Ｗに取り付ける。ただし、取付対象物１の形状や大きさによって、複数の取付ユニットＵを、取付対象物１の短辺Ｘに沿って上下に並ぶ状態で使用したり、斜めに配置した状態で使用したり、これらの配置の複合配置にした状態で使用することも可能である。
【００２８】
〔第一片について〕
第一片Ｕ１は、図３から図５に示すように、正面視で略正方形であり、かつ、一定の厚みを有するブロック状に形成されて、壁面Ｗへの取付部となる第一取付部１２が、第一片Ｕ１の背面側に形成されている。第一片Ｕ１の上側の左右両側部分、及び、下側の左右方向中央部分に、壁面側に凹入する凹入部が形成されている。それぞれの凹入部に、壁固定用の釘が挿通される釘挿通部１１が形成されている。また、第一片Ｕ１の左右方向の中央には矩形型の開口部が形成され、開口部の左右両側に、第二片Ｕ２と係止する左右一対の第一係止部１３が備えられている。第一片Ｕ１の表面側部分における開口部と凹入部とを除く部分は、平坦面状に形成されている。第一片Ｕ１の表面側部分における開口部と凹入部とを除く部分が、本発明の離間部４に相当する。なお、第一片Ｕ１の裏面側部分は、特に図示はしないが、軽量化のために、適宜肉抜きされていても良い。
【００２９】
第一取付部１２は、第一片Ｕ１を壁面Ｗに取り付けたときに、壁面Ｗと面接触するように、平坦面状に形成されている。
【００３０】
第一取付部１２が壁面Ｗに面接触状態で取り付けられることにより、第一片Ｕ１に対して壁方向に力が作用したときに、壁面Ｗに作用する面圧が分散される。したがって、壁面Ｗに対して局所的に力が作用することがないことから、壁面Ｗの窪み等の発生を軽減することができる。また、第一片Ｕ１に対して垂直方向に力が作用したときには、面接触している箇所において、力の作用とは逆方向に摩擦力が生じる。この摩擦力が、第一片Ｕ１に作用する力の抵抗力として作用することから、貫通孔１１ｂに挿通されている石膏ボード用釘Ｋに対する負荷を軽減することができる。その結果、石膏ボード用釘Ｋの抜けや、破損、壁面Ｗの穴の広がり等を防ぐことができる。
【００３１】
釘挿通部１１には、中央部分に、石膏ボード用釘Ｋをセット可能な座繰り部１１ａと、座繰り部１１ａの中央部に形成された石膏ボード用釘貫通用の貫通孔１１ｂとがそれぞれ設けてある。
【００３２】
石膏ボード用釘Ｋは、周知のものであり、例えば、３本の釘部と、それら釘部を異なる３方向に向けて打ち込めるように保持する保持体と、釘を打ち込んだ後の保持体を覆うキャップとを備えている。壁面Ｗ内において各釘が３方向に広がり、石膏ボード用釘Ｋが壁面Ｗに固定される。
【００３３】
左右一対の第一係止部１３は、下側ほど壁面Ｗに近づく直線的な傾斜面状に形成されている。
【００３４】
本実施形態では、前述の通り、第一片Ｕ１の開口部と凹入部とを除く箇所が、離間部４として構成されている。第一片Ｕ１と第二片Ｕ２とが係止した状態において、離間部４の正面側部分である面接触部５が、取付対象物１と面接触する。この構成により、面接触部５（離間部４）が取付対象物１と面接触した状態で保持され、取付対象物１に対する面圧が分散され、局所的に力が作用することがない。したがって、離間部４と接触している取付対象物１の破損や変形等を軽減することができる。また、面接触部５が第二片Ｕ２ではなく、取付対象物１に面接触するように構成されているが、当然に第二片Ｕ２よりも取付対象物１の方が大きいため、面接触部５の接触対象面積を大きく取ることができる。
【００３５】
〔第二片について〕
第二片Ｕ２は、図６から図８に示すように、正面視で「Ｔ」字形状に形成され、壁面Ｗへの取付部となる第二取付部２２と、取付対象物１へ固定用のビスＭが挿通されるビス挿通部２１と、を備えている。ビス挿通部２１は、第二片Ｕ２の左右方向の中央部分における上側部分と下側部分とのそれぞれに備えられている。第二片Ｕ２のうち、ビス挿通部２１の左右両側に位置する部分に、第一係止部１３と係止する第二係止部２３が備えられている。
【００３６】
ビス挿通部２１の底部（正面側部分）に、ビス挿通孔２１ａが形成されており、ビス挿通孔２１ａにビスＭを挿通して取付対象物１の面１Ａに捻じ込むことで、取付対象物１へ第二片Ｕ２を固定することができる。
【００３７】
第二取付部２２は、第二片Ｕ２を取付対象物１に取り付けたときに、取付対象物１と面接触するように平坦面状に形成されている。
【００３８】
第二片Ｕ２が取付対象物１に面接触状態で取り付けられることにより、取付対象物１に対して壁方向に力が作用したときに、取付対象物１に作用する面圧が分散される。取付対象物１に対して局所的に力が作用することがないことから、取付対象物１の窪み等の発生を軽減することができる。また、取付対象物１に対して垂直方向に力が作用したときには、面接触している箇所において、摩擦が生じる。この摩擦は、力の作用とは逆方向に力が生じることから、ビス挿通部２１に挿通されているビスＭに対する負荷を軽減することができる。
【００３９】
第二係止部２３は、第二片Ｕ２のビス挿通部２１の左右両側に、左右一対形成されている。第二係止部２３は、第一片Ｕ１の第一係止部１３に対応するように、下側ほど壁面Ｗに近づく直線的な傾斜面状に構成してある。
【００４０】
また、第二係止部２３の傾斜面の長さは、第一係止部１３の傾斜面の長さよりも、短く形成する必要がある。これは、第二片Ｕ２又は取付対象物１が、第一片Ｕ１の面接触部５に面接触する前に、第二係止部２３の下側末端が、第一係止部１３の下側末端に到達することで、面接触部５と取付対象物１とが面接触できなくなるのを防ぐためである。
【００４１】
〔案内部及び離間部について〕
案内部３には、図３、図５、図６、図８、図１１に示すように、第一片Ｕ１及び第二片Ｕ２の一方に形成された傾斜面部６と、第一片Ｕ１と第二片Ｕ２の他方に形成され、傾斜面部に沿って摺動可能な摺動部７と、が備えられている。本実施形態においては、上述した左右一対の第一係止部１３が、傾斜面部６に相当し、上述した左右一対の第二係止部２３が、摺動部７に相当する。
【００４２】
傾斜面部６（第一係止部１３）と摺動部７（第二係止部２３）とは、それぞれ傾斜面状に形成されていることから、摺動部７が、傾斜面部６上を重力の作用により摺動する。その結果、第二片Ｕ２が、第一片Ｕ１に近づくように案内される。第二片Ｕ２が、第一片Ｕ１に近づくように案内され、第二片Ｕ２又は取付対象物１が、第一片Ｕ１の面接触部５に面接触することにより、第一係止部１３と第二係止部２３とが完全に係止した「係止状態」となる。
【００４３】
第一係止部１３と第二係止部２３とが、案内部３に兼用されているため、係止用の部材と案内部とを別々に備えるよりも部品点数を減らすことができ、取付ユニットＵを、コンパクトなものにすることができる。また、図９及び図１０に示すように、第一係止部１３に第二係止部２３を引っ掛け始めたときから、第一係止部１３及び第二係止部２３自身が案内部３として互いに案内し合い、最終的に係止状態（図１１参照）になる。このように、一連のシンプルな動作により、第一片Ｕ１と第二片Ｕ２とが案内・係止するため、耐久性に優れ、壊れにくい取付ユニットＵとなる。
【００４４】
また、係止状態においては、図１１に示すように、面接触部５が取付対象物１の裏面に面接触することで、案内部３による案内がストップされている状態となっているため、重力の作用により、第一片Ｕ１は下に下がろうとする。したがって、第一片Ｕ１のうち、傾斜面部６（第一係止部１３）と面接触部５との間の部分が、摺動部７（第二係止部２３）と取付対象物１の背面部とによってくさび状にかみ合い、第一片Ｕ１と第二片Ｕ２との係止状態は、非常に安定する。
【００４５】
〔別実施形態〕
以下、上記実施形態に変更を加えた別実施形態を例示する。以下の別実施形態は、矛盾が生じない限り、複数組み合わせて上記実施形態に適用してよい。なお、本発明の範囲は、各実施形態の内容に限定されるものではない。
【００４６】
（１）上記実施形態では、第一係止部１３及び第二係止部２３は、直線的な傾斜面形状で構成されている例を示したが、これに限られるものではない。壁面Ｗに取り付けられた第一片Ｕ１の第一係止部１３と、取付対象物１に取り付けられた第二片Ｕ２の第二係止部２３とが近づくことで係止可能であればよく、水平方向に延びる直線形状、また、曲線形状にしてもよい。さらに、第一係止部１３と第二係止部２３とは、点接触及び線接触するような構成でもよく、例えば、それぞれ半球形状や半円形状等にしてもよい。
【００４７】
（２）上記実施形態では、案内部３は、第一片Ｕ１の第一係止部１３と第二片Ｕ２の第二係止部２３とによって構成されている例を示したが、第一係止部１３と第二係止部２３とは、別体に構成されていてもよい。また、重力の作用により第一片Ｕ１と第二片Ｕ２とが近づくように案内されるのであれば、案内部３の構成は特に限定されるものではない。
【００４８】
（３）上記実施形態では、離間部４は、面接触部５により構成されている例を示したが、面接触部５とは別体に構成されていてもよい。また、離間部４は、面接触ではなく、点接触及び線接触により離間した状態を保持する構成としてもよい。
【００４９】
（４）上記実施形態では、傾斜面部６は、第一片Ｕ１の第一係止部１３によって構成されている例を示したが、第二片Ｕ２の第二係止部２３によって構成されていてもよい。また、傾斜面部６は、第一係止部１３及び第二係止部２３とは別体に構成されていてもよい。
【００５０】
（５）上記実施形態では、摺動部７は、第二片Ｕ２の第二係止部２３によって構成されている例を示したが、第一片Ｕ１の第一係止部１３によって構成されていてもよい。また、摺動部７は、第一係止部１３及び第二係止部２３とは別体に構成されていてもよい。
【００５１】
（６）上記実施形態において、図３から図５に示すように、第一片Ｕ１は、傾斜面部６の下端部よりも下側には、壁固定用の釘が挿通される貫通孔１１ｂが備えられ、上下方向において、傾斜面部６の下端部と貫通孔１１ｂとの間に、水平方向に延びる隔壁部１４を備えられる構造を採用してもよい。
【００５２】
この構成によれば、傾斜面部６の下端部よりも下側に、壁固定用の釘が挿通される貫通孔１１ｂを備えることにより、第一片Ｕ１の下側に壁固定用の釘が挿通される貫通孔１１ｂを確保しつつも、その左右において面接触部５のためのより広い面積を確保することができる。傾斜面部６と取付対象物１又は第二片Ｕ２とが、摺動部７及び面接触部５にくさび状にかみ合うとき、面接触部５をより広い面積とすることにより摩擦力を強くすることができ、より強固に第一片Ｕ１と第二片Ｕ２とを係止させることができる。
【００５３】
また、傾斜面部６に下向きに力が作用すると、傾斜面部６に作用した力と貫通孔１１ｂに挿通される壁固定用の釘による抵抗力により、傾斜面部６の下端部と貫通孔１１ｂとの間には、局所的に力が作用する。そこで、傾斜面部６の下端部と貫通孔１１ｂとの間に、水平方向に延びる隔壁部１４を備えることにより、傾斜面部６に下向きに力が作用したとき、隔壁部１４にも分散させることができる。その結果、局所的に力が作用することによる破損や変形等を防ぐことができる。
【００５４】
さらに、隔壁部１４に、図３から図５に示すように、傾斜面部６の下端部が入り込む切欠部１５が形成されている構造を採用してもよい。
【００５５】
この構成によれば、傾斜面部６をより長く形成することで、摺動部７及び面接触部５にくさび状にかみ合うとき、傾斜面部６をより広い面積とすることにより摺動部７との接地面積を大きくすることができる。その結果、摩擦力を強くすることができ、より強固に第一片Ｕ１と第二片Ｕ２とを係止させることができる。
【００５６】
また、第一片Ｕ１に形成された傾斜面部６をより長く形成する対応として、隔壁部１４を、さらに傾斜面部６の下側に位置する貫通孔１１ｂ側に形成することも考えられる。しかし、隔壁部１４をさらに貫通孔１１ｂに近い位置に形成した場合、当該貫通孔１１ｂ周りのスペースが狭くなり、当該貫通孔１１ｂに釘を打ち込む作業を行うのに十分な作業スペースを確保することができなくなる。
【００５７】
また、隔壁部１４を薄く構成することや、取付ユニットＵを大きく構成することも考えられる。しかし、隔壁部１４を薄く構成した場合、強度が低下する虞がある。また、取付ユニットＵを大きくした場合、取付対象物１が小さい場合に使用が困難になる虞がある。
【００５８】
そこで、隔壁部１４に、傾斜面部６の下端部が入り込む切欠部１５を形成することにより、当該貫通孔１１ｂに釘を打ち込む作業を行うのに十分な作業スペースを確保しつつも、強度を保ち、取付ユニットＵの巨大化を防ぎ、さらに、第一片Ｕ１に形成された傾斜面部６をより長く形成できる。
【００５９】
（７）上記実施形態において、図１２に示すように、第一片Ｕ１は、壁面Ｗ側に向けて凹入された位置出し用凹入部１７を備え、位置出し用凹入部１７に嵌合可能な位置出し部材Ｐを備える構成を採用してもよい。
【００６０】
位置出し用凹入部１７は、左右壁面に溝状の凹部３２と、壁面Ｗ側の底部には壁固定用の釘が挿通される貫通孔１１ｂとを備える。また、位置出し部材Ｐは、壁面に、位置出し用凹入部１７の凹部３２に対応するレール状の凸部１８と、位置出し部材Ｐが位置出し用凹入部１７に嵌合された状態において、貫通孔１１ｂに対応する位置に貫通孔１１ｂを貫通可能な突起部３１とを備える。
【００６１】
この構成によれば、位置出し部材Ｐを、第一片Ｕ１の位置出し用凹入部１７に嵌合させるときに、凸部１８に凹部３２を係合させるため、位置出し部材Ｐが第一片Ｕ１の位置出し用凹入部１７から脱落するのを防ぐことができる。
【００６２】
また、第一片Ｕ１を、取付対象物１に取り付けた第二片Ｕ２に係止させ、第一片Ｕ１の周壁部１６と第二片Ｕ２の周壁部２４をテープ等により固定させると、貫通孔１１ｂから突起部３１の先端が突出している状態となる。この状態で壁面Ｗの第一片取り付け予定位置に押し付けることにより、突起部３１が壁面Ｗに押圧され、壁面Ｗに窪みＤが形成される。当該窪みＤを第一片Ｕ１の取り付け位置の基準とすることにより、容易に第一片Ｕ１の取り付け位置を確定することができる。
【００６３】
（８）上記実施形態において、図１４に示すように、取付対象物１の下側に、オプション部品Ｕ３を取付ける構成を採用してもよい。
【００６４】
オプション部品Ｕ３は、取付対象物１への取付部となる二つのビス挿通孔と、ビス挿通孔間に等間隔に複数の磁石を下部の一部を露出している状態で取り付けている板状の部材と、を一体に備えて構成してある。
【００６５】
取付対象物１に、オプション部品Ｕ３を取り付けることにより、壁面Ｗと取付対象物１とを側壁とし、オプション部品Ｕ３を底部とする収納部分を構成することができる。また、オプション部品Ｕ３は、複数の磁石を、磁石の下部の一部を露出している状態で取り付けているため、これらの磁石に、磁石に反応する金属製のアクセサリー等を、装着することができる。また、オプション部品Ｕ３を底板として利用することで、本や写真などを立ててディスプレイすること等も可能となる。
【産業上の利用可能性】
【００６６】
当該取付ユニットは、木製の板材以外にも、壁掛け用の各種ボードやパネルや額縁等を壁部に取り付ける際に利用することができ、石膏ボード製以外に、他のボード類、コンクリート製、塗り壁等に取付対象物を取り付ける際にも利用することができる。
【符号の説明】
【００６７】
Ｕ      取付ユニット
Ｕ１    第一片
Ｕ２    第二片
１      取付対象物
３      案内部
４      離間部
６      傾斜面部
７      摺動部
１１    釘挿通部
１１ａ  座繰り部
１１ｂ  貫通孔
１２    第一取付部
１３    第一係止部
１４    隔壁部
１５    切欠部
１７    凹入部
２２    第二取付部
２３    第二係止部
３１    突起部
【図１】
2019208742.tif 000003
【図２】
2019208742.tif 000004
【図３】
2019208742.tif 000005
【図４】
2019208742.tif 000006
【図５】
2019208742.tif 000007
【図６】
2019208742.tif 000008
【図７】
2019208742.tif 000009
【図８】
2019208742.tif 000010
【図９】
2019208742.tif 000011
【図１０】
2019208742.tif 000012
【図１１】
2019208742.tif 000013
【図１２】
2019208742.tif 000014
【図１３】
2019208742.tif 000015
【図１４】
2019208742.tif 000016